(57)【要約】【課題】同室の就寝者の睡眠を妨げることがない照明装置を提供する。【解決手段】寝室１２には、各々に就寝者が就寝する２台のベッド１６Ａ、１６Ｂが設けられている。照明装置は、寝室に設けられた照明器具４４（４４Ａ、４４Ｂ）及びフットライト４８（４８Ａ、４８Ｂ）を備える。また、照明装置は、寝室１２の手前のホール２２並びにＷＩＣ２４に設けられたダウンライト５０Ａ、５０Ｂ及びフットライト５４Ａを備える。照明装置は、寝室１２へ向かう就寝者が検知され、かつ、先の就寝者が寝室１２で就寝している場合に、フットライト４８、５４Ａを点灯する。これにより、就寝者が寝室へ向かる経路が明示されると共に、寝室１２に入るときに、就寝者の睡眠を妨げてしまうのを防止する。【選択図】図１
2018006087.tif 000002
【特許請求の範囲】
【請求項１】
複数の寝台が並んで配置された寝室に設けられて該寝室を照明する寝室主照明手段と、
前記寝室の壁部側下部又は寝台下部に設けられた第１足元照明手段と、
各々の前記寝台の就寝者を検出する就寝者検出手段と、
扉によって閉止される出入口を介して前記寝室に繋がる寝室前空間に設けられて、前記寝室前空間を前記寝室へ向かう人を検知する入室者検知手段と、
前記入室者検知手段により前記寝室前空間を前記寝室に向かう人が検知され、かつ前記就寝者検出手段により前記寝台に就寝者が検出された場合に、前記寝室主照明手段を不点灯とすると共に、前記第１足元照明手段を点灯させる制御手段と、
を備えた照明装置。
【請求項２】
前記寝室前空間の壁部下部に設けられた第２足元照明手段を備え、
前記制御手段は、前記入室者検知手段により前記寝室前空間を前記寝室に向かう人が検知され、かつ前記就寝者検出手段により前記寝台に就寝者が検出された場合に、前記第２足元照明手段を点灯させることを含む請求項１に記載の照明装置。
【請求項３】
前記第１足元照明手段が各々の前記寝台に対応して設けられており、
前記制御手段は、前記入室者検知手段により前記寝室前空間を前記寝室に向かう人が検知され、かつ前記就寝者検出手段により前記寝台に就寝者が検出された場合に、就寝者が検出されていない寝台側の前記第１足元照明手段を点灯させる請求項１又は請求項２に記載の照明装置。
【請求項４】
前記制御手段は、前記就寝者検出手段により各々の前記寝台に就寝している就寝者が検出されていた状態から、一方の前記寝台の就寝者の離床が検出された場合に、前記寝室主照明手段を不点灯とすると共に、前記第１足元照明手段を点灯させることを含む請求項１から請求項３の何れか１項に記載の照明装置。
【請求項５】
前記第１足元照明手段が各々の前記寝台に対応して設けられており、
前記制御手段は、前記就寝者検出手段により各々の前記寝台に就寝している就寝者が検出されていた状態から、一方の前記寝台の就寝者の離床が検出された場合に、前記就寝者の離床が検出された寝台側の前記第１足元照明手段を点灯させることを含む請求項４に記載の照明装置。
【請求項６】
前記寝室前空間の壁部下部に設けられた第２足元照明手段を備え、
前記制御手段は、前記就寝者検出手段により各々の前記寝台に就寝している就寝者が検出されていた状態から、一方の前記寝台の就寝者の離床が検出された場合に、前記第２足元照明手段を点灯させることを含む請求項４又は請求項５に記載の照明装置。
【請求項７】
前記寝室前空間を介して前記寝室に繋がる特定空間に設けられて、該特定空間内を照明する特定空間照明手段と、
前記寝室前空間の前記特定空間側の壁部下部に設けられた第３足元照明手段と、
前記特定空間に入室している人を検知する特定空間人検知手段と、
を更に含み、
前記制御手段は、前記特定空間人検知手段により前記特定空間に入室した就寝者が検知された場合に、前記特定空間照明手段を徐々に明るくなるように点灯させると共に、前記第３足元照明手段を点灯させ、前記特定空間人検知手段により前記特定空間に入室していた就寝者が検知されなくなった場合に、前記特定空間照明手段を徐々に減光させて消灯させた後に、前記第３足元照明手段を消灯させることを含む請求項６に記載の照明装置。
【請求項８】
前記制御手段は、前記就寝者検出手段により各々の前記寝台に就寝している就寝者が検出されていた状態から、一方の前記寝台の就寝者の起床が検出された場合に、前記第１足元照明手段を点灯させることを含む請求項１から請求項７の何れか１項に記載の照明装置。
【請求項９】
前記第１足元照明手段が各々の前記寝台に対応して設けられており、
前記制御手段は、前記就寝者検出手段により各々の前記寝台に就寝している就寝者が検出されていた状態から、一方の前記寝台の就寝者の起床が検出された場合に、前記就寝者の起床が検出された寝台側の前記第１足元照明手段を点灯させる請求項８に記載の照明装置。
【請求項１０】
前記就寝者検出手段が、各々の前記寝台に設けられて、就寝者の睡眠状態として入床、入眠、睡眠中、覚醒及び起床を検出する睡眠状態検出手段を含む請求項１から請求項９の何れか１項に記載の照明装置。
【発明の詳細な説明】
【技術分野】
【０００１】
本発明は、照明装置に関する。
【背景技術】
【０００２】
建物の居住者が就寝する寝室には、一人が就寝可能な寝室のみならず、二人が就寝可能な寝室などがある。また、睡眠には、寝室の明かり（明るさ）が影響する場合があり、就寝しているときに寝室が明るくなると深い睡眠が得られなくなったり、睡眠が妨げられて覚醒してしまったりすることがある。
【０００３】
２人で一つの寝室を用いる場合、２人が同時に就寝したり起床したりする場合に限らず、１人が就寝している状態でもう１人が就寝のために入室したり、起床して退室したりする場合がある。１人が就寝している状態でもう１人が入退室場合、寝室の照明が点灯されると、就寝中の人の睡眠を妨げてしまうことがある。
【０００４】
ここで、特許文献１には、２人用の寝室と共用空間との間に互いに独立した一対の前室が設けられており、２人の人が別々の前室を通って寝室から入退室できる寝室配置構造が記載されている。また、特許文献１では、前室の各々が曲折通路とされており、曲折通路が前室の照明光を遮光する役目を果たしている。これにより、１人が就寝中に、他の１人が入退室しても、就寝中の人の睡眠が妨げられるのを抑制している。
【先行技術文献】
【特許文献】
【０００５】
【特許文献１】特開平１０−３７４９３号公報
【発明の概要】
【発明が解決しようとする課題】
【０００６】
しかしながら、各々が曲折通路となる一対の前室を設けた場合、前室の照明が点灯されていないと、寝室が暗くなってしまう。このために、寝室から前室へ移動するためには、寝室の照明を点灯させる必要があり、寝室の照明を点灯させると、就寝中の人の睡眠を妨げてしまうことになる。
【０００７】
本発明は上記事実に鑑みてなされたものであり、同室の就寝者の睡眠を妨げることがない照明装置の提供を目的とする。
【課題を解決するための手段】
【０００８】
上記目的を達成するための第１の態様は、複数の寝台が並んで配置された寝室に設けられて該寝室を照明する寝室主照明手段と、前記寝室の壁部側下部又は寝台下部に設けられた第１足元照明手段と、各々の前記寝台の就寝者を検出する就寝者検出手段と、扉によって閉止される出入口を介して前記寝室に繋がる寝室前空間に設けられて、前記寝室前空間を前記寝室へ向かう人を検知する入室者検知手段と、前記入室者検知手段により前記寝室前空間を前記寝室に向かう人が検知され、かつ前記就寝者検出手段により前記寝台に就寝者が検出された場合に、前記寝室主照明手段を不点灯とすると共に、前記第１足元照明手段を点灯させる制御手段と、を備えている。
【０００９】
第１の態様では、寝室に複数（例えば、２台）の寝台（ベッド）が並んで配置されており、２人が就寝可能となっている。この寝室には、寝室を照明する寝室主照明手段が設けられていると共に、第１足元照明手段が設けられている。第１足元照明手段は、寝台又は寝室の壁部側に設けられて、寝台の就寝者の睡眠に影響を与えないように寝室の床面近傍（足元）を照明する。また、寝室には、就寝者検出手段が設けられており、就寝者検出手段は、各々の寝台に就寝する就寝者を検出する。
【００１０】
寝室前空間は、寝室に繋がる居住空間であり、寝室へ向かう人が寝室前空間を通る。寝室前空間としては、廊下、ホール、ウォークインクローゼットなどの居住空間が適用され、寝室には、寝室前空間を通って入室できると共に、寝室から寝室前空間を通りことで建物内の他の居住空間へ行くことができる。また、寝室前空間には、人検知手段が設けられており、人検知手段が寝室前空間を寝室に向かう人を検知する。
【００１１】
ここで、制御手段は、人検知手段により寝室へ向かう人が検知され、かつ就寝者検出手段により寝台に就寝している就寝者が検出されている場合に、寝室へ向かう人が寝室に入室するのに先立って、寝室主照明手段を不点灯とすると共に、第１足元照明手段を点灯する。
【００１２】
これにより、寝室に入室する人は、第１足元照明手段が点灯されることで、寝室主照明手段が点灯していなくとも、寝室内の様子を把握することができるので、寝室内を移動して寝台に入床することができる。また、寝室主照明手段が点灯されないので、寝台の就寝者の睡眠が妨げられることがない。なお、寝室主照明手段の不点灯は、寝室主照明手段が消灯されているときに、点灯しないことを指す。
【００１３】
第２の態様は、第１の態様において、前記寝室前空間の壁部下部に設けられた第２足元照明手段を備え、前記制御手段は、前記入室者検知手段により前記寝室前空間を前記寝室に向かう人が検知され、かつ前記就寝者検出手段により前記寝台に就寝者が検出された場合に、前記第２足元照明手段を点灯させることを含む。
【００１４】
第２の態様では、寝室前空間に第２足元照明手段が設けられており、第２足元照明手段は、寝室前空間の壁部下部に配置されて、寝室前空間の床面を照明する。制御手段は、第１足元照明手段を点灯させると共に、寝室前空間の第２足元照明手段を点灯させる。寝室に向かう人は、第２足元照明手段が点灯されることで足元が照明されるので、寝室前空間の天井照明などを点灯させる必要がなくなる。また、寝室前空間が明るいと、第１足元照明手段により照明されている寝室が極めて暗く感じるが、第２足元照明手段を点灯することで寝室前空間を寝室と同様の明るさにできる。これにより、寝室内が暗く感じされるのを防止できて、寝室に入る就寝者が寝室内の様子を把握するのが容易となる。
【００１５】
第３の態様は、第１の態様又は第２において、前記第１足元照明手段が各々の前記寝台に対応して設けられており、前記制御手段は、前記入室者検知手段により前記寝室前空間を前記寝室に向かう人が検知され、かつ前記就寝者検出手段により前記寝台に就寝者が検出された場合に、就寝者が検出されていない寝台側の前記第１足元照明手段を点灯させる。
【００１６】
第３の態様では、第１足元照明手段が各々に寝台に対応して設けられている。制御手段は、就寝者が就寝していない寝台側の第１足元照明手段を点灯させる。これにより、寝室に入った就寝者が空いている寝台（就寝者が就寝している寝台とは別の寝台、即ち、入室した人が就寝する寝台）を明確に把握することができる。
【００１７】
第４の態様は、第１の態様から第３の態様の何れかにおいて、前記制御手段は、前記就寝者検出手段により各々の前記寝台に就寝している就寝者が検出されていた状態から、一方の前記寝台の就寝者の離床が検出された場合に、前記寝室主照明手段を不点灯とすると共に、前記第１足元照明手段を点灯させることを含む。
【００１８】
第４の態様では、２台の寝台の各々に就寝者が就寝している状態から一方の寝台の就寝者が睡眠途中で覚醒し（途中覚醒）、離床した場合に、第１足元照明手段を点灯させる。これにより、他方の寝台の就寝者の睡眠を妨げることなく、離床した就寝者の足元を照明することができる。なお、就寝者が離床した場合に限らず、就寝者の途中覚醒が検出された場合に、第１足元照明を点灯させるようにしても良く、これにより、就寝者が途中覚醒したときに寝室が真っ暗闇と感じてしまうのを抑制して、途中覚醒した就寝者に入眠を促すことができる。
【００１９】
第５の態様は、第４の態様において、前記第１足元照明手段が各々の前記寝台に対応して設けられており、前記制御手段は、前記就寝者検出手段により各々の前記寝台に就寝している就寝者が検出されていた状態から、一方の前記寝台の就寝者の離床が検出された場合に、前記就寝者の離床が検出された寝台側の前記第１足元照明手段を点灯させることを含む。
【００２０】
第５の態様では、第１足元照明手段が各々の寝台に対応して設けられており、寝台ごとに第１足元照明手段を点灯できる。ここで、制御手段は、各々の寝台に就寝している就寝者が検出されていた状態から、一方の寝台の就寝者が離床した場合、就寝者が離床した寝台側の第１足元照明手段を点灯する。これにより、離床した就寝者は、出入口までの道筋を明確に把握できる。また、就寝者が就寝している寝台側の第１足元照明を不必要に点灯させなくて良い。
【００２１】
第６の態様は、第４の態様又は第５の態様において、前記寝室前空間の壁部下部に設けられた第２足元照明手段を備え、前記制御手段は、前記就寝者検出手段により各々の前記寝台に就寝している就寝者が検出されていた状態から、一方の前記寝台の就寝者の離床が検出された場合に、前記第２足元照明手段を点灯させることを含む。
【００２２】
第６の態様では、寝室前空間に第２足元照明手段が設けられており、制御手段は、各々の寝台に就寝している就寝者が検出されていた状態から、一方の寝台の就寝者の離床が検出されると、第１足元照明手段を点灯すると共に、第２足元照明手段を点灯させる。ここで、寝室前空間には、第２足元照明手段とは別に照明手段が設けられるのが一般的となっており、寝室前空間の照明手段を点灯させることで、寝室前空間を明るくすることができる。この場合、寝室前空間が寝室よりも明るくなりすぎるので、離床した就寝者が眩しく感じると共に、寝室前空間から寝室に入射される光が就寝中の就寝者の睡眠を妨げてしまう。
【００２３】
これに対して、寝室前空間の第２足元照明手段を点灯することで、離床した就寝者が寝室から寝室前空間に出たときに就寝者の足元が照明される。これにより、離床した就寝者が寝室前空間に出たときに目が眩むのを防止できると共に、就寝中の就寝者の睡眠が妨げられるのを防止できる。
【００２４】
第７の態様は、第６の態様において、前記寝室前空間を介して前記寝室に繋がる特定空間に設けられて、該特定空間内を照明する特定空間照明手段と、前記寝室前空間の前記特定空間側の壁部下部に設けられた第３足元照明手段と、前記特定空間に入室している人を検知する特定空間人検知手段と、を更に含み、前記制御手段は、前記特定空間人検知手段により前記特定空間に入室した就寝者が検知された場合に、前記特定空間照明手段を徐々に明るくなるように点灯させると共に、前記第３足元照明手段を点灯させ、前記特定空間人検知手段により前記特定空間に入室していた就寝者が検知されなくなった場合に、前記特定空間照明手段を徐々に減光させて消灯させた後に、前記第３足元照明手段を消灯させる。
【００２５】
第７の態様では、離床した就寝者が寝室から寝室前空間を通ってトイレなどの特定空間へ行くことができる。この特定空間には、特定空間照明手段、及び特定空間人検知手段が設けられている。また、寝室前空間の特定空間側の壁部下部には、第３足元照明手段が設けられており、第３足元照明手段が点灯されることで、寝室前空間の特定空間側の足元が照明される。
【００２６】
制御手段は、特定空間に入った就寝者が特定空間検知手段に検知されることで、特定空間内が徐々に明るくなるように特定空間照明手段を点灯させると共に第３足元照明手段を点灯させる。これにより、特定空間が急に明るくなることがないので、就寝者が特定空間に入ったときに目が眩むのを防止できる。
【００２７】
また、特定空間照明手段と共に第３足元照明手段が点灯されていることで、就寝者が特定空間から出たときに、就寝者の足元を照明することができる。また、就寝者が寝室へ向かうことで第２足元照明手段が点灯されるので、特定空間から寝室までの道筋が明確となる。従って、途中覚醒した就寝者は、寝室と特定空間との間の往復移動が容易となると共に、離床した就寝者が移動するための照明が、就寝中の就寝者の睡眠を妨げるのを防止できる。なお、制御手段は、就寝者が特定空間から出て特定空間人検知手段により検知されなくなると、特定照明手段を徐々に減光して消灯すると共に、第３足元照明手段を消灯する。
【００２８】
第８の態様は、第１の態様から第７の態様の何れかにおいて、前記制御手段は、前記就寝者検出手段により各々の前記寝台に就寝している就寝者が検出されていた状態から、一方の前記寝台の就寝者の起床が検出された場合に、前記第１足元照明手段を点灯させることを含む。
【００２９】
第８の態様では、就寝者検出手段により各々の寝台に就寝している就寝者が検出されていた状態から一方の寝台の就寝者が起床したとき、第１足元照明手段を点灯させる。これにより、他方の寝台の就寝者の睡眠を妨げることなく、起床した睡眠者が離床したときの足元を照明することができる。
【００３０】
第９の態様は、第８の態様において、前記第１足元照明手段が各々の前記寝台に対応して設けられており、前記制御手段は、前記就寝者検出手段により各々の前記寝台に就寝している就寝者が検出されていた状態から、一方の前記寝台の就寝者の起床が検出された場合に、前記就寝者の起床が検出された寝台側の前記第１足元照明手段を点灯させる。
【００３１】
第９の態様では、第１足元照明手段が各々の寝台に対応して設けられており、寝台ごとに第１足元照明手段を点灯できる。就寝者検出手段により各々の寝台に就寝している就寝者が検出されていた状態から一方の寝台の就寝者が起床したとき、起床した就寝者の寝台側の第１足元照明手段を点灯させる。これにより、他方の寝台の就寝者の睡眠を妨げることなく、起床した就寝者の寝台側の第１足元照明を点灯させるので、寝室からの出入口までの道筋を明確にできる。
【００３２】
第１０の態様は、第１の態様から第９の態様の何れかにおいて、前記就寝者検出手段が、各々の前記寝台に設けられて、就寝者の睡眠状態として入床、入眠、睡眠中、覚醒及び起床を検出する睡眠状態検出手段を含む。
【００３３】
第１０の態様では、就寝者検出手段として睡眠状態検出手段が設けられており、睡眠状態検出手段により寝台の就寝者の睡眠状態が検出される。睡眠状態検出手段は、就寝者が寝台に入床したか、入床した就寝者が入眠したか、就寝者が睡眠中か、睡眠中の就寝者が途中覚醒したか、及び就寝者が起床したかを検出する。就寝者検出手段を設けることで、各々の寝台に就寝者が就寝しているか否か、寝台の就寝者が途中覚醒下か否か、及び寝台の就寝者が起床したか否かを適正に検出できる。これにより、各々の寝台の就寝者の睡眠状態を的確に把握できるので、就寝者の睡眠状態に応じた適正な照明の制御が可能となる。
【発明の効果】
【００３４】
以上説明したように第１の態様によれば、就寝しようとする人が寝室に入室するとき、既に就寝している就寝者の睡眠を妨げてしまうことがない、という効果を有する。
【００３５】
第２の態様によれば、寝室前空間を寝室と同様の明るさにできるので、寝室に入室する際の寝室内の様子を容易に把握できる、という効果を有する。また、第３の態様によれば、就寝者が就寝している寝台とは別の寝台を明確に把握できる、という効果を有する。
【００３６】
第４の態様によれば、就寝中の睡眠者の睡眠を妨げることなく、離床した就寝者の足元を照明することができる、という効果を有する。
【００３７】
第５の態様によれば、離床した就寝者の出入口までの道筋を明確にできる、という効果を有する。また、第６の態様によれば、離床した睡眠者が寝室から出る際に、就寝中の就寝者の睡眠を妨げてしまうのを防止できる、という効果を有する。
【００３８】
第７の態様ようによれば、離床した就寝者が特別空間に行って戻るのが容易となる、という効果を有する。
【００３９】
第８の態様によれば、他方の寝台の就寝者の睡眠を妨げることなく、起床した就寝者の足元を照明することができる、という効果を有する。また、第９の態様によれば、寝室の出入口までの道筋を明確にできる、という効果を有する。
【００４０】
第１０の態様によれば、就寝者の睡眠状態に応じた適正な照明の制御をできる、という効果を有する。
【図面の簡単な説明】
【００４１】
【図１】本実施の形態に係る照明器具の配置を示す建物の主要部の平面図である。
【図２】人検知センサの配置を示す図１と同様の平面図である。
【図３】本実施の形態に係る照明装置の概略構成図である。
【図４】就寝時における照明制御を示す流れ図である。
【図５】中途覚醒時における照明制御を示す流れ図である。
【図６】起床時における照明制御を示す流れ図である。
【発明を実施するための形態】
【００４２】
以下に図面を参照して、本発明の実施の形態を詳細に説明する。図１及び図２には、本実施の形態に係る建物１０の主要部の間取りが平面図にて示されている。なお、図１には、照明器具の配置が示されており、図２には、人検知センサの配置が示されている。
【００４３】
図１及び図２に示されるように、建物１０には、寝室１２が設けられており、寝室１２は、周囲が壁部１４Ａ、１４Ｂ、１４Ｃ、１４Ｄにより囲われている。壁部１４Ａ、１４Ｂは建物１０の屋外（外壁）側とされており、壁部１４Ａに壁部１４Ｃが対向されていると共に、壁部１４Ｂに壁部１４Ｄが対向されている。
【００４４】
寝室１２には、寝台としての２台のベッド１６が設けられている。ベッド１６の各々は、壁部１４Ｂ、１４Ｄの間の中央部分に並べて配置されており、ベッド１６は、一方のベッド１６Ａが壁部１４Ｄ側とされて、他方のベッド１６Ｂが壁部１４Ｂ側とされている。また、ベッド１６Ａ、１６Ｂは、ヘッドボード１８側が壁部１４Ａ側に寄せられている。これにより、寝室１２は、２人の居住者が並んで就寝可能とされている。なお、以下の説明では、ベッド１６に就寝する居住者（人）を就寝者として説明する。
【００４５】
寝室１２の壁部１４Ｃには、ベッド１６Ａ側に扉２０Ａが設けられている共に、ベッド１６Ｂ側に扉２０Ｂが設けられており、扉２０Ａ、２０Ｂは、寝室１２への出入口を開閉する。寝室１２は、扉２０Ａが開かれることでベッド１６Ａ側から入退室可能とされていると共に、扉２０Ｂが開かれることでベッド１６Ｂ側から入退室可能とされており、扉２０Ａ、２０Ｂが閉じられることで寝室１２を遮光するように出入口が閉じられる。
【００４６】
建物１０には、寝室前空間としてのホール（前室）２２、ウォークインクローゼット（ＷＩＣ）２４及び廊下２６が設けられている。ホール２２及びＷＩＣ２４は、壁部１４Ｃを挟んで寝室１２とは反対側に配置されており、ホール２２が扉２０Ａ側とされて、ＷＩＣ２４が扉２０Ｂ側とされている。また、ホール２２及びＷＩＣ２４は、扉２０Ａ、２０Ｂの近傍において繋げられている。
【００４７】
また、廊下２６は、ホール２２の寝室１２とは反対側に設けられている。また、ＷＩＣ２４の寝室１２とは反対側には、サニタリールーム２８が設けられている。ホール２２と廊下２６との間には、扉３０Ａが設けられており、ＷＩＣ２４とサニタリールーム２８との間には、扉３０Ｂが設けられている。また、廊下２６とサニタリールーム２８との間には、扉３０Ｃが設けられている。建物１０では、扉３０Ａ、３０Ｂ、３０Ｃを開くことで、ホール２２と廊下２６との間、ＷＩＣ２４とサニタリールーム２８との間、及び廊下２６とサニタリールーム２８との間を移動できる（行き来できる）。また、建物１０には、ランドリールーム３２及び浴室３４が設けられており、サニタリールーム２８からランドリールーム３２及び浴室３４へ移動可能となっている。
【００４８】
一方、建物１０には、特定空間としてのトイレ３６が設けられており、トイレ３６は、廊下２６のサニタリールーム２８とは反対側に配置されている。廊下２６とトイレ３６との間には、扉３８が設けられており、扉３８を開くことでトイレ３６に入退室可能となっている。これにより、建物１０では、寝室１２からホール２２及び廊下２６を経てトイレ３６へ移動可能となっている。
【００４９】
ところで、建物１０には、照明装置としての照明装置４０が設けられている。図３には、照明装置４０がブロック図にて示されている。照明装置４０には、制御手段としてのコントローラ４２が設けられている。コントローラ４２は、マイクロコンピュータ（図示省略）を備えており、マイクロコンピュータは、ＣＰＵ、ＲＯＭ、ＲＡＭ、不揮発性メモリ（例えばＨＤＤ）、及び入出力ポートを有し、これらがバスによって接続された一般的構成とされている。照明装置４０では、コントローラ４２のＣＰＵがＲＯＭ及び不揮発性メモリに記憶されたプログラムを読み出して実行することで、制御手段として機能する。
【００５０】
図１に示されるように、寝室１２には、寝室主照明手段としての複数の照明器具４４が設けられている。寝室１２には、壁部１４Ｂと壁部１４Ｄとの間の中央部分に下がり天井４６が設けられており、下がり天井４６は、壁部１４Ａと壁部１４Ｃとに跨って形成されている。照明器具４４は、下がり天井４６の上面側においてベッド１６Ａ側及びベッド１６Ｂ側の各々に設けられている。なお、以下の説明では、ベッド１６Ａ側に配置された照明器具４４を照明器具４４Ａとし、ベッド１６Ｂ側に配置された照明器具４４を照明器具４４Ｂとして説明する。
【００５１】
照明器具４４Ａ、４４Ｂは、複数ずつが下がり天井４６の上面に取り付けられており、これにより、間接照明が形成されている。寝室１２は、照明器具４４Ａが点灯されることで、主にベッド１６Ａ側が照明され、照明器具４４Ｂが点灯されることで主にベッド１６Ｂ側が照明される。
【００５２】
照明器具４４（４４Ａ、４４Ｂ）は、光源して蛍光灯又は電球（白熱灯）が用いられた一般的構成を適用できるが、本実施の形態では、各々が複数のＬＥＤが配列されたＬＥＤ照明器具が適用されている。照明器具４４Ａ、４４Ｂは、複数の色（発光色）のＬＥＤが設けられていると共に、色ごとに複数のＬＥＤが設けられており、直線状に配列された線状光源とされている。また、照明器具４４Ａ、４４Ｂは、各ＬＥＤの発光が制御されることで、明るさ及び色温度が変更可能となっている。
【００５３】
また、寝室１２には、第１足元照明手段としてのフットライト４８（４８Ａ、４８Ｂ）が設けられている。フットライト４８Ａは、寝室１２のベッド１６Ａ側に複数設けられており、フットライト４８Ｂは、寝室１２のベッド１６Ｂ側に複数が設けられている。具体的には、フットライト４８Ａは、３台が壁部１４Ｄ下部（壁部１４Ｄ側の棚下）に設けられて、２台がベッド１６Ａの壁部１４Ｄ側の下部に設けられていると共に、ベッド１６Ａの壁部１４Ｃ側（足側）の下部及び壁部１４Ｃの扉２０Ａ近傍下部（扉２０Ａ近傍の小壁下部）に設けられている。また、フットライト４８Ｂは、３台が壁部１４Ｂ下部（壁部１４Ｂ側の棚下）に設けられて、２台がベッド１６Ｂの壁部１４Ｃ側の下部に設けられていると共に、ベッド１６Ｂの壁部１４Ｃ側の下部及び壁部１４Ｃの扉２０Ｂ近傍下部（扉２０Ｂ近傍の小壁下部）に設けられている。
【００５４】
寝室１２は、フットライト４８Ａ、４８Ｂが点灯されることで、寝室１２内は、就寝者の睡眠を妨げない仄暗い明るさ（薄暗い明るさ）とされるが、ベッド１６Ａ、１６Ｂの周囲と壁部１４Ａ〜１４Ｄとの間の床面が、就寝者の歩行に支障のない明るさに照明される。これにより、寝室１２では、フットライト４８Ａの明かりによりベッド１６Ａのヘッドボード１８近傍から扉２０Ａまでの道筋が明示され、フットライト４８Ｂの明かりによりベッド１６Ｂのヘッドボード１８近傍から扉２０Ｂまでの道筋が明示される。
【００５５】
図３に示されるように、コントローラ４２には、照明器具４４Ａ、４４Ｂ及びフットライト４８Ａ、４８Ｂが接続されており、コントローラ４２は、就寝者が寝室１２で就寝する時間帯において、照明器具４４Ａ、４４Ｂ及びフットライト４８Ａ、４８Ｂの点灯を制御する。なお、照明器具４４Ａ、４４及びフットライト４８Ａ、４８Ｂは、コントローラ４２の非制御状態では、寝室１２に設けられている図示しないスイッチが操作されることにより点灯及び消灯が可能とされている。
【００５６】
図１に示されるように、ホール２２には、照明手段としてのダウンライト５０Ａが設けられており、ＷＩＣ２４には、照明手段としての２台のダウンライト５０Ｂが設けられている。また、サニタリールーム２８には、照明手段としての２台のダウンライト５０Ｃが設けられている。ダウンライト５０Ａ、５０Ｂ、５０Ｃの各々は、図示しないスイッチが操作されることにより点灯及び消灯可能とされている。
【００５７】
また、トイレ３６には、特定空間照明手段としてのダウンライト５２Ａが設けられており、ダウンライト５２Ａは、明るさが変更可能な調光式とされている。廊下２６には、照明手段としての２台のダウンライト５２Ｂが、ホール２２側とトイレ３６側（浴室３４側）とに設けられている。ダウンライト５２Ａ、５２Ｂの各々は、図示しないスイッチが操作されることにより点灯及び消灯可能とされている。
【００５８】
なお、本実施の形態では、照明手段としてダウンライト５０Ａ〜５０Ｃ、５２Ａ、５２Ｂを用いているが、照明手段は、ダウンライトに限らず、シーリングライトなどの任意の照明器具を適用できる。また、サニタリールーム２８には、ダウンライト５０Ｃとは別に照明手段としての照明器具が設けられており、ランドリールーム３２及び浴室３４の各々にも照明手段としての照明器具が設けられているが、本実施の形態では、図示及び説明を省略する。
【００５９】
ホール２２及びＷＩＣ２４には、第２足元照明手段としてフットライト５４Ａが設けられている。ホール２２のフットライト５４Ａは、壁部１４Ｃにおいて扉２０Ａの近傍下部に設けられており、ＷＩＣ２４のフットライト５４Ａは、壁部１４Ｃにおいて扉２０Ｂ近傍下部に設けられている。フットライト５４Ａが点灯されることで、ホール２２では、寝室１２側の扉２０Ａ近傍から廊下２６側の扉３０Ａ近傍の間の床面が歩行に支障のない明るさで照明されて、ＷＩＣ２４では、寝室１２側の扉２０Ｂ近傍からサニタリールーム２８側の扉３０Ｂ近傍の間の床面が歩行に支障のない明るさに照明される。
【００６０】
また、廊下２６には、第３足元照明手段としてのフットライト５４Ｂが設けられており、サニタリールーム２８には、フットライト５４Ｃが設けられている。フットライト５４Ｂは、廊下２６の浴室３４側の壁面下部に設けられており、廊下２６は、フットライト５４Ｂによりトイレ３６の扉３８近傍からホール２２側の扉３０Ａ近傍までの床面が歩行に支障のない明るさに照明される。フットライト５４Ｃは、サニタリールーム２８の廊下２６側の扉３０Ｃ近傍（浴室３４側又は廊下２６側）の壁面下部に設けられており、サニタリールーム２８は、フットライト５４Ｃにより廊下２６側の扉３０Ｃ近傍からＷＩＣ２４側の扉３０Ｂ近傍までの範囲の床面が歩行に支障のない明るさに照明される。
【００６１】
図３に示されるように、コントローラ４２には、ダウンライト５０Ａ、ＷＩＣ２４のダウンライト５０Ｂ、廊下２６のダウンライト５２Ｂ、サニタリールーム２８のダウンライト５０Ｃ、トイレ３６のダウンライト５２Ａ、及び廊下２６のダウンライト５２Ｂが接続されている。また、コントローラ４２には、フットライト５４Ａ〜５４Ｃが接続されている。コントローラ４２は、就寝者が寝室１２で就寝する時間帯において、ダウンライト５０Ａ〜５０Ｃ、５２Ａ、５２Ｂ、及びフットライト５４Ａ〜５４Ｃの各々の点灯を制御する。また、コントローラ４２は、ダウンライト５２Ａの点灯を制御する際に、ダウンライト５２Ａの出力（明るさ）の制御も行う。なお、フットライト５４Ａ〜５４Ｃは、赤外線センサなどの人検知機能及び明るさ検知機構（明暗スイッチ機能）を含み、コントローラ４２の非制御状態では、人検知機能及び明暗スイッチ機能により点灯されても良い。
【００６２】
一方、コントローラ４２には、就寝者検出手段としての人検知センサ５６Ａ、入室者検知手段としての複数の人検知センサ５６Ｂ〜５６Ｄ、及び特定空間人検知手段としての人検知センサ５６Ｅが接続されている。人検知センサ５６Ａ〜５４Ｅは、赤外線及び赤外線の変化から対象物（人）を検知するパッシブ型赤外線センサが用いられており、天井面に取り付けられている。コントローラ４２は、人検知センサ５６Ａ〜５６Ｅの検知結果に応じて各照明器具の点灯を制御する。
【００６３】
図２には、人検知センサ５６Ａ〜５６Ｅの配置が示されていると共に、人検知センサ５６Ａ〜５６Ｄの検知範囲が二点鎖線で示されている。人検知センサ５６Ａは、寝室１２の壁部１４Ａと壁部１４Ｂとの角部に設けられて、扉２０Ａ、２０Ｂを開けて入退室する居住者（就寝者）及びベッド１６Ａ、１６Ｂの就寝者を検知する。人検知センサ５６Ｂは、ＷＩＣ２４の壁部１４Ｃ近傍に設けられて、扉２０Ａ、２０Ｂを開けて寝室１２から入退室する就寝者、サニタリールーム２８側の扉３０ＢからＷＩＣ２４に入退室する就寝者、及び廊下２６側の扉３０Ａからホール２２に入退室する就寝者を検知する。
【００６４】
また、人検知センサ５６Ｃは、サニタリールーム２８のＷＩＣ２４側の天井面に設けられて、廊下２６側の扉３０Ｃ及びＷＩＣ２４側の扉３０Ｂからサニタリールーム２８に入退室する就寝者を検知する。人検知センサ５６Ｄは、廊下２６の浴室３４側の天井面に設けられて、扉３０Ａ、３０Ｃ、及び扉３８側から廊下２６に入退室する就寝者を検知する。さらに、人検知センサ５６Ｅは、トイレ３６の天井面に設けられてトイレ３６に入室している人（就寝者）を検知する。
【００６５】
図３に示されるコントローラ４２は、居住者が就寝する時間帯において、人検知センサ５６Ａ〜５６Ｅの検知結果から建物１０内の寝室１２及び寝室１２に繋がるホール２２、ＷＩＣ２４、廊下２６、及びトイレ３６の照明を制御する。この際、コントローラ４２は、就寝者（居住者）の移動を検知して、検知結果に応じて各照明機器の点灯を制御する。
【００６６】
一方、コントローラ４２には、就寝者検出手段及び睡眠状態検出手段として睡眠センサ５８が接続されており、睡眠センサ５８は、ベッド１６（１６Ａ、１６Ｂ）の各々に設けられている。睡眠センサ５８は、図示しない複数の検出素子を備えており、検出素子がベッド１６に配置されている。検出素子としては、ベッド１６の複数の脚部の各々に取り付けられて、ベッド１６の脚部が就寝者から受ける荷重、圧力及びこれらの変化（体動）を、ベッド１６の就寝者の就寝状態情報として検出する。また、検出素子としては、就寝者が横臥するベッド１６のマットに配置されて、就寝者の体動、就寝者の脈拍、及び就寝者の脳波の少なくとも一つを就寝状態情報として検出する構成であっても良い。
【００６７】
就寝者は、ベッド１６に入床して睡眠し、就寝者が起床する（目覚める）までの睡眠中は、浅い眠りと深い眠りとが繰り返されており、睡眠中に浅い眠りから覚醒（途中覚醒）することがある。睡眠センサ５８は、検出素子により検出される就寝状態情報から、就寝者がベッド１６に入床しているか、就寝者が覚醒している状態（覚醒中）か、就寝している状態（睡眠中）か又は離床したかを判定する。また、睡眠センサ５８は、就寝者が睡眠中である場合、眠りが深いか浅いかを判定すると共に、睡眠途中において就寝者が覚醒（途中覚醒）したか否かの判定も行う。睡眠センサ５８は、判定した就寝者の睡眠状態を示す信号をコントローラ４２に出力する。
【００６８】
このような睡眠センサ５８としては、ベッド１６に入床した就寝者が睡眠中か否か、睡眠が深いか浅いか、及び途中覚醒したか否かなどを検出し得るものであれば任意の構成を適用できる。また、睡眠センサ５８としては、例えば、特開２０１６−５９５９６号公報の睡眠管理装置に用いられている生体情報検出センサ及び生体情報検出センサから取得される生体情報から睡眠状態を判定する制御部を適用できる。
【００６９】
また、コントローラ４２には、設定手段としての目覚ましタイマ６０（図１及び図２では図示省略）が設けられており、目覚ましタイマ６０は、ベッド１６（１６Ａ、１６Ｂ）の各々のヘッドボード１８近傍に配置されている。目覚ましタイマ６０には、就寝者により起床時刻としての目覚まし時刻（起床時刻）が設定されるようになっており、目覚ましタイマ６０は、就寝者により目覚まし時刻が設定されると、設定された時刻（目覚まし時刻）に目覚まし音を発して就寝者に起床を促す。また、コントローラ４２には、目覚ましタイマ６０において設定された目覚まし時刻が入力される。
【００７０】
コントローラ４２は、睡眠センサ５８により検出される就寝者の睡眠状態及び目覚ましタイマ６０に設定された起床時刻に応じて各照明器具を制御する。
【００７１】
以下に、本実施の形態の作用として、図４〜図６を参照しながら照明装置４０の動作を説明する。寝室１２には、２人が就寝可能となっており、照明装置４０は、最初の就寝者が就寝する前から最後の就寝者が起床するまでの寝室１２の照明制御を行う。以下の説明では、２人の就寝者が入眠するまで就寝時（就寝時照明制御）、各々の就寝者の睡眠中の睡眠時（睡眠中照明制御）、及び２人の就寝者が起床する起床時（起床時照明制御）に分けて説明する。図４には、就寝時照明制御がフローチャートにて示されており、図５には、睡眠時照明制御がフローチャートにて示されている。また、図６には、起床時照明制御がフローチャートにて示されている。なお、照明装置４０は、予め設定された就寝時間帯において照明制御を実行しても良く、また、最初の就寝者が寝室１２に入室を検出してから最後の就寝者が起床するまでの時間において照明制御を実行しても良い。
【００７２】
図４に示されるように、就寝者の就寝前において、最初のステップ１００では、寝室１２へ向かう人（就寝者）が検知されたか否かを確認する。寝室１２には、廊下２６からホール２２を経て入室する経路、及び、サニタリールーム２８からＷＩＣ２４を経て（廊下２６、ランドリールーム３２又は浴室３４からサニタリールーム２８及びＷＩＣ２４を経て）入室する経路がある。
【００７３】
ここで、廊下２６には人検知センサ５６Ｄが設けられていると共に、サニタリールーム２８には人検知センサ５６Ｃが設けられており、ＷＩＣ２４（ＷＩＣ２４及びホール２２）には、人検知センサ５６Ｂが設けられている。このため、人検知センサ５６Ｃ又は人検知センサ５６Ｄにより人が検知された後、人検知センサ５６Ｂにより人が検知されると、コントローラ４２は、寝室１２へ向かう人を検知したと判定する。これにより、ステップ１００で肯定判定されてステップ１０２へ移行する。
【００７４】
ステップ１０２では、寝室１２に就寝者（就寝中の居住者）がいるか否かを確認する。寝室１２には、人検知センサ５６Ａが設けられており、人検知センサ５６Ａにより扉２０Ａ又は扉２０Ｂを開いて入室した人及びベッド１６Ａ、１６Ｂの就寝者の検出が可能となっている。また、ベッド１６Ａ、１６Ｂには、睡眠センサ５８が設けられており、睡眠センサ５８によりベッド１６Ａ、１６に就寝中の人（入床している人を含む）が検出される。寝室１２に就寝者がいるか否かは、人検知センサ５６Ａ及び睡眠センサ５８の何れを用いて判定しても良い。
【００７５】
ここで、寝室１２に就寝者がいない場合、ステップ１０２において否定判定されてステップ１０４へ移行する。ステップ１０４では、１人目の就寝者（先の就寝者）に対する照明制御を行う。先の就寝者に対する照明制御では、ホール２２のダウンライト５０Ａ及びＷＩＣ２４のダウンライト５０Ｂを点灯させて、寝室１２への経路を照明する。なお、ホール２２のダウンライト５０Ａは、人検知センサ５６Ｂ、５６Ｃの少なくとも一方が人を検知した場合に点灯され、ＷＩＣ２４のダウンライト５０Ｂは、人検知センサ５６Ａ、５６Ｄの少なくとも一方が人を検知した場合に点灯されれば良い。
【００７６】
また、先の就寝者に対する照明制御では、寝室１２の照明器具４４（４４Ａ、４４Ｂ）を所定の明るさ及び色温度となるように点灯する。照明器具４４は、色温度が電球色（橙色〜黄色程度。２７００ｋ（ケルビン）〜３０００ｋ）とすると共に、寝室１２の照度が５００lx（ルクス）以下（例えば、１００lx）の明るさ（照度）となるようにする。
【００７７】
これにより、先の就寝者が寝室１２に入室する際に、寝室１２の内部が適正な明るさに照明される。特に、ホール２２及びＷＩＣ２４が照明されている状態で、寝室１２内が暗い場合、目が馴染まずに寝室１２内が暗闇となっているように感じることがあるが、寝室１２が適度な明るさとなるように照明されることにより、就寝者は、寝室１２が暗く感じたり、明るすぎると感じたりすることがない。これにより、先の就寝者は、寝室１２に入室でき、ベッド１６に入床できると共に、寝室１２内が就寝を促す明るさ及び色温度とされることで、先の就寝者の就寝を促進できる。
【００７８】
また、先の就寝者に対する照明制御では、睡眠センサ５８により就寝者がベッド１６に入床したことを検出すると、照明器具４４を減光（例えば、寝室の照度が９lx程度）し、就寝者の入眠が検出されると消灯する。これにより、就寝者は速やかに入眠できる。
【００７９】
一方、寝室１２に就寝者がいる場合、ステップ１０２において肯定判定されてステップ１０６へ移行する。このステップ１０６では、２人目の就寝者（後の就寝者）に対する照明制御を行う。後の就寝者に対する照明制御では、ホール２２及びＷＩＣ２４のフットライト５４Ａを点灯する。これにより、ホール２２及びＷＩＣ２４を明るくすることなく、就寝者に寝室１２への経路を明示できる。また、ホール２２のダウンライト５０Ａ、及びＷＩＣ２４のダウンライト５０Ｂは点灯させない不点灯とする。
【００８０】
なお、不点灯は、あえて点灯させないことをいい、点灯できないようにするものではない。例えば、ダウンライト５０Ａ、５０Ｂが点灯している場合、徐々に減光して、就寝者の目が暗い状態に慣れるようにしてから消灯させるようにしても良く、これにより、ホール２２及びＷＩＣ２４が急に暗くなってしまうのを防止できる。また、就寝するのではなく、ＷＩＣ２４へ行くためにホール２２に入った場合、ダウンライト５０Ａ、５０Ｂが点灯しないと不便であるので、例えば、壁面に設けている図示しないスイッチを２回操作することで、ダウンライト５０Ａ、５０Ｂが点灯されるようにしても良い。
【００８１】
また、後の就寝者に対する照明制御では、寝室１２の照明器具４４を不点灯とすると共に、フットライト４８Ａ、４８Ｂを点灯させる。この際、フットライト４８Ａ、４８Ｂの各々を点灯させるようにしても良い。また、１人目の就寝者がベッド１６Ａで就寝している場合、ベッド１６Ｂ側のフットライト４８Ｂを点灯させ、１人目の就寝者がベッド１６Ｂで就寝している場合、ベッド１６Ａ側のフットライト４８Ａを点灯させるようにしても良い。何れのベッド１６に就寝者がいるかは、人検知センサ５６Ａにより検出しても良いが、ベッド１６Ａ、１６Ｂに設けている睡眠センサ５８によって検出しても良い。
【００８２】
これにより、後の就寝者が寝室１２へ入室する際に、フットライト４８（４８Ａ又は４８Ｂ）、５４Ａが点灯されるのみなので、睡眠中の就寝者に照明器具４４の光又はダウンライト５０Ａの光が照射されることがないので、先の就寝者の睡眠が妨げられるのを防止できる。なお、先の就寝者が入眠前であると照明器具４４が仄暗く点灯されているが、この場合、照明器具４４を消灯せずに、点灯状態が維持されるようにしても良い。
【００８３】
また、寝室１２の手前のホール２２及びＷＩＣ２４は、フットライト５４Ａにより照明されているので、寝室１２との間での明るさの変化が少ないので、後の就寝者が寝室１２の明るさになじむことになり、寝室１２内が暗く感じることがない。コントローラ４２は、後の就寝者に対する照明制御では、後の就寝者がベッド１６に入床して入眠すると、フットライト４８（４８Ａ、４８Ｂ）を消灯する。
【００８４】
さらに、照明装置４０では、寝室１２内に就寝者がいる場合に、ホール２２及びＷＩＣ２４のフットライト５４Ａを点灯すると共に、寝室１２のフットライト４８を先回りして点灯するので、ホール２２、ＷＩＣ２４及び寝室１２の照明（天井照明）を点灯しなくとも就寝するベッド１６へ行くことができる。
【００８５】
なお、先の就寝者が寝室１２に入室する際に点灯されたホール２２のダウンライト５０Ａ、及びＷＩＣ２４のダウンライト５０Ｂは、先の就寝者が寝室１２に入室してから（人検知センサ５６Ｂに検出されなくなってから）消灯されれば良い。また、後の就寝者が寝室１２に入室する際に点灯されたホール２２及びＷＩＣ２４のフットライト５４Ａは、後の就寝者が寝室１２に入室してから（人検知センサ５６Ｂに検出されなくなってから）消灯されれば良い。
【００８６】
図５に示されるように、睡眠中における照明制御においては、最初のステップ１１０で、ベッド１６Ａ、１６Ｂに設けている睡眠センサ５８により就寝者が就寝途中で目覚めたか否か（中途覚醒したか否か）を確認する。ここで、ベッド１６Ａ、１６Ｂの何れかの就寝者が中途覚醒すると、ステップ１１０で肯定判定されてステップ１１２へ移行する。このステップ１１２では、フットライト４８（４８Ａ、４８Ｂ）を点灯することで、中途覚醒した就寝者が真っ暗闇と感じるのを抑制すると共に、中途覚醒した就寝者の再入眠が促されるようにする。また、フットライト４８を点灯する場合、中途覚醒した就寝者が入床しているベッド１６側のフットライト４８（フットライト４８Ａ又はフットライト４８Ｂの一方）を点灯する。なお、一方のベッド１６の就寝者が中途覚醒した場合に、フットライト４８Ａ、４８Ｂの双方を点灯するようにしても良い。
【００８７】
次のステップ１１４では、中途覚醒した就寝者が離床したか否かを確認する。ここで、通と覚醒した就寝者が、例えば、トイレ３６へ行くために離床すると、ステップ１１４で肯定判定されてステップ１１６へ移行する。このステップ１１６では、中途覚醒した就寝者が寝室１２から出るのに先立って、ホール２２及びＷＩＣ２４のフットライト５４Ａを点灯する。
【００８８】
これにより、中途覚醒した就寝者が使用しているベッド１６側のフットライト４８Ａ（又は４８Ｂ）が点灯されているので、離床した就寝者は扉２０Ａ又は２０Ｂまでの道筋を的確に把握できる。また、中途覚醒した就寝者が寝室１２から出たときに、ホール２２及びＷＩＣ２４が真っ暗闇となっているのを抑制する。ホール２２及びＷＩＣ２４が真っ暗闇となるのが抑制されることで、寝室１２から出た就寝者が、ダウンライト５０Ａ、５０Ｂを点灯してしまうのを抑制できるので、ダウンライト５０Ａ、５０Ｂの光が寝室１２内の就寝者の睡眠を妨げるのを防止できる。
【００８９】
コントローラ４２は、中途覚醒した就寝者が廊下２６へ出て人検知センサ５６Ｃにより検知されると、フットライト５４Ｂを点灯する。また、就寝者がトイレ３６に入室すると、入室した就寝者が人検知センサ５６Ｅにより検知される。コントローラ４２は、人検知センサ５６Ｅにより就寝者が検知されると、ダウンライト５２Ａを点灯させる。この際、コントローラ４２は、ダウンライト５２Ａの出力を抑えて点灯させた後、出力を徐々に上げて明るくする。これにより、トイレ３６内が徐々に明るくなるので、トイレ３６に入った就寝者が急に明るくなってしまうことにより目が眩んでしまうのを防止できる。
【００９０】
また、コントローラ４２は、人検知センサ５６Ｅが就寝者を検知している間は、トイレ３６の外側のフットライト５４Ｂを点灯状態とする。これにより、就寝者がトイレ３６から出たときに、廊下２６が真っ暗となっているのを抑制すると共に、寝室１２への経路を照明する。なお、コントローラ４２は、就寝者がトイレ３６から出て人検知センサ５６Ｅにより検知されなくなると、所定時間が経過した後にダウンライト５２Ａ及びフットライト５４Ｂを消灯する。就寝者が寝室１２へ戻る際には、図４のステップ１０６と同様の処理がおこなわれる。これにより、就寝者が寝室１２へ戻ってベッド１６に入床可能となると共に、睡眠中の就寝者の睡眠を妨げてしまうのを抑制できる。
【００９１】
なお、図５のフローチャートでは、中途覚醒した就寝者（又はトイレ３６から戻ってベッド１６に入床した睡眠者の入眠を検出すると、ステップ１１８において肯定判定されて、フットライト４８（フットライト４８Ａ又はフットライト４８Ｂ）を消灯する（ステップ１２０）。
【００９２】
一方、就寝者の起床時刻に近づくと、コントローラ４２は、起床時照明制御を実行する。なお、起床時刻は、目覚ましタイマ６０において就寝者が設定した目覚まし時刻が適用される。また、予め設定された就寝時間帯において設定された起床時間帯に実行されても良い。
【００９３】
図６に示されるように、起床時照明制御では、ステップ１３０において就寝者が目覚めたか否かを確認する。ここで、ベッド１６Ａ、１６Ｂの各々に設けられている睡眠センサ５８の一方が就寝者の目覚めたことを検出すると、ステップ１３０で肯定判定されてステップ１３２に移行する。このステップ１３２では、他方のベッド１６に就寝者（もう１人の就寝者）が就寝しているか否かを確認する。
【００９４】
ここで、もう一人の就寝者が就寝中であると、ステップ１３２で肯定判定されてステップ１３４へ移行する。このステップ１３４では、先に目覚めた就寝者に対する照明制御を行う。先に目覚めた就寝者に対する照明制御では、目覚めた就寝者が就寝していたベッド１６側のフットライト４８（フットライト４８Ａ又はフットライト４８Ｂ）を点灯する。また、目覚めた就寝者がベッド１６から離れる離床が検出されると、ホール２２及びＷＩＣ２４のフットライト５４Ａが点灯される。
【００９５】
なお、フットライト５４Ａは、先の就寝者が目覚めたことが検出されて点灯されるフットライト４８と共に点灯されても良い。また、フットライト４８Ａ、４８Ｂの一方のみを点灯させるのではなく、フットライト４８Ａ、４８Ｂの双方を点灯させるようにしても良い。さらに、フットライト４８は、起床した就寝者が寝室１２から出て人検知センサ５６Ａに検出されなくなるか人検知センサ５６Ｂに検出されることで消灯されれば良く、フットライト５４Ａは、人検知センサ５６Ｂが寝室１２から出た就寝者を検知しなくなってから所定時間後に消灯されれば良い。
【００９６】
これにより、ベッド１６の周囲、ホール２２及びＷＩＣ２４がフットライト４８、５４Ａにより照明されるので、先に目覚めた就寝者は、ベッド１６から離床して寝室１２からホール２２又は、ＷＩＣ２４へ出ることができる。この際、睡眠中の就寝者が不要な明かりを受けてしまうことがないので、睡眠中の就寝者は睡眠が妨げられることがなく、快適な睡眠を継続できる。
【００９７】
これに対して、もう１人が既に離床している場合、ステップ１３２で肯定判定されてステップ１３６へ移行する。このステップ１３６では、後に目覚めた就寝者に対する照明制御を行う。後に目覚めた就寝者に対する照明制御では、目覚めた就寝者に刺激を与える明るさとなるように照明器具４４を点灯する。例えば、色温度が白色（昼白色）とされ、寝室１２の明るさが５００lx以上（例えば、１０００lx程度）の明るさとなるように照明器具４４を点灯する。これにより、目覚めた睡眠者がうつらうつら（うとうと）してしまうのを防止する。就寝者がうとうとすると、起床した際に寝不足感が生じ、この寝不足感により十分な睡眠が得られていないと感じることがある。しかし、就寝者が目覚めたときに刺激を与えることで、就寝者がうつらうつらしてしまうのを防止でき、就寝者に快適な目覚め感及び快適な睡眠が得られたという感じを与えることができる。
【００９８】
なお、後に起床する就寝者について目覚まし時刻が設定されている場合、設定された目覚まし時刻に目覚めるように照明制御を行っても良い。このとき、就寝者の睡眠状態を睡眠センサ５８により検出し、睡眠が深い場合、睡眠が浅い場合に比べて点灯開始を早めて照明器具４４を点灯させる。また、点灯させた照明器具４４の出力を徐々に高くすると共に、色温度を橙色から白色となるように変化（色温度の徐々に高くする）させて、目覚めた就寝者を刺激する。これにより、就寝者が早めに目覚めたり、目覚まし時刻を過ぎて目覚めたりするのを防止し、快適に目覚めるようにできる。
【００９９】
なお、起床時照明制御は、後に目覚めた就寝者が寝室１２から退室して所定時間が経過すると、照明器具４４を消灯させて処理を終了する。また、起床時照明制御が終了することで、照明装置４０の照明制御が終了される。
【０１００】
このように、照明装置４０は、２人が就寝する寝室１２において、先に就寝している就寝者がいる場合、及び後から起床する就寝者がいる場合には、照明器具４４は勿論ダウンライト５０Ａ、５０Ｂが点灯されるのを抑えることができるので、睡眠中の就寝者の睡眠が妨げられるのを防止できる。
【０１０１】
なお、本実施の形態では、手前にホール２２及びＷＩＣ２４が設けられた寝室１２を例に説明したが、寝室１２の手前の寝室前空間としては、廊下などの任意の空間を適用できる。本発明に係る照明装置は、寝室のみならず寝室前空間の照明手段及び足元照明手段を制御することで、就寝中の就寝者が明るく感じるのを防止して、就寝者の睡眠が妨げられるのを防止できる。
【０１０２】
また、本実施の形態では、寝室主照明手段として、下がり天井４６に照明器具４４Ａ、４４Ｂを設けた間接照明を適用したが、寝室主照明手段は、これに限るものではない。寝室主照明手段は、間接照明に限らず、シーリングライト、シャンデリアなどの直接照明であっても良く、また、寝室１２の壁部１４Ａ〜１４Ｄの何れか少なくとも一面に取り付けられたブラケットなどであっても良い。
【０１０３】
さらに、本実施の形態では、第１足元照明手段として、ベッド１６Ａ側のフットライト４８Ａとベッド１６Ｂ側のフットライト４８Ｂに分けて、ベッド１６Ａ側とベッド１６Ｂ側に分けて点灯されるようにしたが、これに限るものではない。第１足元照明手段〜第３足元照明手段の位置や数は、建物の間取り、寝室における寝台（ベッド）などの什器のレイアウトなどを考慮して定められれば良い。
【符号の説明】
【０１０４】
１０    建物
１２    寝室
１６（１６Ａ、１６Ｂ）    ベッド（寝台）
２０Ａ、２０Ｂ    扉
２２    ホール（寝室前空間）
２４    ＷＩＣ（寝室前空間）
２６    廊下
３６    トイレ（特定空間）
４０    照明装置
４２    コントローラ（制御手段）
４４Ａ、４４Ｂ    照明器具（寝室主照明手段）
４８（４８Ａ、４８Ｂ）    フットライト（第１足元照明手段）
５０Ａ、５２Ｂ    ダウンライト
５２Ａ    ダウンライト（特定空間照明手段）
５４Ａ    フットライト（第２足元照明手段）
５４Ｂ    フットライト（第３足元照明手段）
５６Ａ    人検知センサ（就寝者検出手段）
５６Ｂ、５６Ｃ    人検知センサ（入室者検知手段）
５６Ｅ    人検知センサ（特定空間人検知手段）
５８    睡眠センサ（就寝者検出手段、睡眠状態検出手段）
【図１】
2018006087.tif 000003
【図２】
2018006087.tif 000004
【図３】
2018006087.tif 000005
【図４】
2018006087.tif 000006
【図５】
2018006087.tif 000007
【図６】
2018006087.tif 000008